【事件の表示】
　平成　７年特許願第５１３２３２号「垂れ下がりを防止するファスナーシステムを備えた吸収体製品」拒絶査定不服審判事件〔平成　７年　５月１１日国際公開、ＷＯ９５／１２３７６、平成　９年　５月　６日国内公表、特表平　９−５０４４５８〕について、次のとおり審決する。
【結　論】
　本件審判の請求は、成り立たない。
【理　由】
１．手続の経緯・本願発明の特定
　本願は、平成６年（１９９４）１０月１２日（パリ条約による優先権主張外国庁受理１９９３年１１月２日、米国）を国際出願日とする出願であって、その請求項１−２９に係る発明は、平成１３年８月３１日付け、平成１５年３月２４日付け及び平成１５年９月１０日付け手続補正書により補正された明細書の記載からみて、その特許請求の範囲の請求項１−２９に記載されたとおりのものであると認められるところ、請求項１に係る発明は、次のとおりである。
　「前部分、後部分、及びこれらの前部分と後部分を結合し且つ対向する長手方向の側端部分を有する股部分を形成する吸収体製品において：
　外側カバーと；
　液体を透すボディーサイド・ライナと；
　上記外側カバーとボディーサイド・ライナとの間に位置する吸収体材料と；
　上記前部分上に位置する一対の対向する耳部分であって、使用の際に上記後部分と重なって、重なり部分を形成するようになっている耳部分と；
　上記耳部分の重なり部分を上記後部分へ取り付けて複数の取付点を形成する取付手段であって、これらの取付点の全てが上記製品の横方向中心面の後ろの製品の側部で、上記横方向中心面から約１．５インチ（３．８ｃｍ）以内に位置する取付手段と；
　上記前部分又は後部分の少なくとも一方に取り付けられる腰伸縮性部材と；
　上記対向する長手方向の側端部分に隣接する上記股部分に取り付けられる足伸縮性部材と；
　を有する吸収体製品。」（以下、「本願発明」という。）
　
２．引用例
　これに対して、原査定の拒絶の理由に引用された、本願の優先権主張の日前である平成５年（１９９３）７月２７日に頒布された特開平５−１８４６２３号公報（以下、「引用例」という。）には、「吸収性製品」に関し、図面とともに次の記載がある。
（ア）「【産業上の利用分野】この発明は使い捨て可能な吸収性製品に関し、…」（段落番号【０００１】）
（イ）「図７に示すように、おしめ１２（トップシートを除く）は後部２０、股部２２および前部２４を備えるバックシート１８を有する。バックシート１８はさらに、後部エッジ２６、前部エッジ２８、および１対の向かい合った横側辺３０からを備えている。バックシート１８の上には吸収体３２、補助的な後腰部弾性帯３４、さらに補助的な前腰部弾性帯３６が配置されている。…」（段落番号【００１０】）
（ウ）「…前部２４は向かい合った複数の耳部４８を有しており、それぞれの耳部４８は締め具５０を備えている。腰部バンド３８と同様に前部２４は伸び縮み可能に形成できる。前部２４のすべての部分を伸張性のものとしても良く、例えば耳部４８のような限定された部分のみを伸張性のものとしても良い。前部は長さＷe であり、この長さは、前部２４が着用者の腰の前の部分に持ち上げられた場合に、耳部４８が腰の線１０を回って着用者の後方１４（図５）に届き、締め具５０を装着面４４に取付けすることができる十分な長さである。フック−ループシステムを腰部バンド３８に用いる場合は、締め具５０はフック材で構成できる。腰部バンド３８に相互接着性のシステムを用いる場合は、締め具５０として相互接着性の素材を用いることができる。」（段落番号【００１２】）
（エ）「…図５に、着用者の中心線５２は一点鎖線で示されており、トルソー２を半分に分割している。すなわち、中心線５２の右側から着用者をまわって他方の側の等価な点までのトルソー２の部分は、着用者の後方１４であり、中心線５２の左側から着用者をまわって他方の側の等価な点までの部分は着用者の前方５４である。前述したように、前部２４は長さＷe であり締め具５０が中心線５２を越えて着用者の後方１４で、装着面４４に付着可能である。…」（段落番号【００１４】）
（オ）「…装着者の後方で取付けられる締め具５０を備える目的の１つは、締め具５０を赤ちゃんの直接見える領域外に移動するためである。締め具５０が赤ちゃんの直接見える領域の外へ移動することにより、赤ちゃんは締め具５０あるいは耳部４８をいじったり、遊んだりする気になることが少なくなる。さらに、腰の近傍で曲がる脚部の上部である太股の前方上方の応力の大きな領域から締め具５０を外すことができるため、より良くフィットすることができる。この応力の高い領域から締め具５０を外すことができたので、前部２４の前端２８がうねって開いたり、折れたりすることを完全に防止できないまでも最小限にすることができる。」（段落番号【００１４】）
（カ）「…図７に示すように、脚部裾口１６は、股部２２および後部２０に位置する。脚部裾口１６は、ストレッチボンド製の薄膜、あるいは弾性フィルムのような伸張性の素材で形成される。…」（段落番号【００１５】）
（キ）「図８はおしめ１２の股部２２を示す断面図であり、吸収体３２の上にトップシート５８を備えている。」（段落番号【００１６】）
（ク）さらに、図５より前部２４の耳部４８が使用の際に後部と重なり、中心線の後ろの側部で後部に取り付けられている点、図７より股部が前部と後部を結合し且つ対向する長手方向の側端部分を有する点及び図８によりバックシート１８とトップシート５８との間に吸収体３２が位置する点が、それぞれ認められる。
　また、上記（エ）に摘示の如く、締め具５０が中心線５２を越えて着用者の後方１４で、装着面４４に付着可能であることから、締め具５０は「中心線５２を含む面」を越えて着用者の後方１４で、装着面４４に付着可能であるともいえることも明らかである。
　してみると、上記（ア）〜（ク）の記載を総合すると、引用例には、
　「前部、後部、及びこれらの前部と後部を結合し且つ対向する長手方向の側端部分を有する股部を形成する吸収体製品において：
　バックシートと；
　トップシートと；
　上記バックシートとトップシートとの間に位置する吸収体と；
　上記前部上に位置する一対の対向する耳部であって、使用の際に上記後部と重なって、重なり部分を形成するようになっている耳部と；
　上記耳部の重なり部分を上記後部へ取り付ける耳部に備えられた左右の締め具及び後部の装着面であって、これらの取付位置の全てが上記製品の中心線を含む平面の後ろの製品の側部に位置する前記左右の締め具及び装着面と；
　上記前部に取り付けられる前腰部弾性帯と上記後部に取り付けられる後腰部弾性帯と；
　上記対向する長手方向の側端部分に隣接する上記股部に取り付けられる脚部裾口と；
　を有する吸収体製品。」の発明が記載されているものと認める。
　
３．対比
　本願発明と第１引用例に記載された発明とを対比すると、後者の「前部」、「後部」、「股部」、「バックシート」、「トップシート」、「吸収体」、「耳部」及び「中止線を含む平面」は、前者の「前部分」、「後部分」、「股部分」、「外側カバー」、「液体を透すボディーサイド・ライナ」、「吸収体材料」、「耳部分」及び「横方向中心面」に相当する。
　また、後者の「前腰部弾性帯」及び「後腰部弾性帯」は前者の「腰伸縮性部材」に相当し、後者の「脚部裾口」はストレッチボンド製の薄膜、あるいは弾性フィルムのような伸張性の素材で形成されていることから、前者の「足伸縮性部材」に相当する。
　さらに、後者の「耳部に備えられた左右の締め具」と「後部の装着面」は、左右一対の取付位置を形成する取付手段であり、また、取付位置が左右一対、すなわち複数あることは明らかであるので、後者の「取付位置」及び「耳部に備えられた左右の締め具及び後部の装着面」は、前者の「取付点」及び「複数の取付点を形成する取付手段」に相当する。
　してみると、両者は、本願発明の表記にならえば、
　「前部分、後部分、及びこれらの前部分と後部分を結合し且つ対向する長手方向の側端部分を有する股部分を形成する吸収体製品において：
　外側カバーと；
　液体を透すボディーサイド・ライナと；
　上記外側カバーとボディーサイド・ライナとの間に位置する吸収体材料と；
　上記前部分上に位置する一対の対向する耳部分であって、使用の際に上記後部分と重なって、重なり部分を形成するようになっている耳部分と；
　上記耳部分の重なり部分を上記後部分へ取り付けて複数の取付点を形成する取付手段であって、これらの取付点の全てが上記製品の横方向中心面の後ろの製品の側部に位置する取付手段と；
　上記前部分又は後部分の少なくとも一方に取り付けられる腰伸縮性部材と；
　上記対向する長手方向の側端部分に隣接する上記股部分に取り付けられる足伸縮性部材と；
　を有する吸収体製品。」である点で一致し、次の点で相違している。
　〈相違点〉
　上記製品の横方向中心面の後ろの製品の側部に位置する取付点の全てが、本願発明では、「上記横方向中心面から約１．５インチ（３．８ｃｍ）以内に位置する」のに対し、引用例に記載された発明では、このような数値限定に関する言及がない点。
　
４．相違点の判断
　上記引用例の「２．（オ）」の摘示によれば、装着者の後方で取付けられる締め具５０を備える目的の１つは、「締め具５０を赤ちゃんの直接見える領域外に移動するためであること」であって、さらに「腰の近傍で曲がる脚部の上部である太股の前方上方の応力の大きな領域から締め具５０を外すことができる」ことに関しても言及されている。
　そして、上記「２．（オ）」には、「腰の近傍で曲がる脚部の上部である太股の前方上方の応力の大きな領域から締め具５０を外すことができる」ため、「より良くフィットすることができる。この応力の高い領域から締め具５０を外すことができたので、前部２４の前端２８がうねって開いたり、折れたりすることを完全に防止できないまでも最小限にすることができる。」と記載されている。
　してみると、引用例には、「締め具５０を赤ちゃんの直接見える領域外に移動するためであること」という目的に加えて、本願発明の目的である「前部のおむつの垂れ下がりを防止し、フィット性を改善すること」が、上記した如く、引用例においても示されているものと認められるので、本願発明と引用例に記載された発明は、共通の目的を有しているものといえる。
　したがって、このような共通の目的を達成するために、取付点の全てが上記製品の横方向中心面の後ろの製品の側部に位置するものにおいて、その位置を横方向中心面からどの程度の位置にするかは、当業者が通常の創作能力で適宜なし得る設計的事項に過ぎず、上記横方向中心面から約１．５インチ（３．８ｃｍ）以内に位置することも、顕著な効果があるとは認められない。
　なお、審判請求人は審判請求書第５頁第２５〜２８行において「本件発明は、引用例１、２に記載されていない有利な効果であって、引用例１、２刊行物に記載された発明が有する効果とは異質な効果を有するので、進歩性がある。また、本件発明は、引用例１、２とは課題が異なり…数値限定に臨界的意義を要しない。」と主張している。
　しかしながら、上記した如く、本願発明と引用例に記載された発明は共通する課題を有しており、本願発明の効果は引用例に記載された効果とは異質の効果とは認められないので、上記審判請求人の主張は採用しない。
　よって、引用例に記載された吸収体製品に関して、上記相違点に係る本願発明の構成とすることは、当業者が容易に想到し得るものである。
　そして、本願発明の効果も、引用例に記載された発明から、予測できる範囲内のものであって格別なものでもない。
　
５．むすび
　したがって、本願発明は、引用例に記載された発明に基づいて、当業者が容易に発明をすることができたものであるから、特許法第２９条第２項の規定により特許を受けることができないので、本願は、特許請求の範囲の他の請求項に係る発明について検討するまでもなく、拒絶すべきものである。
　よって、結論のとおり審決する。